(57)【要約】【課題】ウェザーストリップ中空シール部内面等と高発泡スポンジ材との間に異音を発生しない高発泡ＥＰＤＭスポンジゴム組成物を提供しようとするものである。【解決手段】高発泡ＥＰＤＭスポンジゴム組成物であって、発泡剤として重曹を使用し気泡構造を連泡化し、且つその気泡の連泡率を次に定義する連泡率Ｗａ＝サンプル重量，Ｗｂ＝サンプル体積，Ｗｄ＝吸水後サンプル重量Ｚ＝発泡前の練り素材重量とするとき連泡率＝｛（Ｗｄ−Ｗａ）／（Ｗｂ−Ｗａ／Ｚ）｝×１００（％）が７０％以上、好ましくは８０％以上としたものである。【選択図】            図３
2004204000.tif 000002
【特許請求の範囲】
【請求項１】
高発泡ＥＰＤＭスポンジゴム組成物であって、発泡剤として重曹を使用し気泡構造を連泡化し、且つその気泡の連泡率を次に定義する連泡率
Ｗａ＝サンプル重量，Ｗｂ＝サンプル体積，Ｗｄ＝吸水後サンプル重量
Ｚ＝発泡前の練り素材重量とするとき
連泡率＝｛（Ｗｄ−Ｗａ）／（Ｗｂ−Ｗａ／Ｚ）｝×１００（％）
が７０％以上、好ましくは８０％以上としたことを特徴とする高発泡ＥＰＤＭスポンジゴム組成物。
【請求項２】
高発泡ＥＰＤＭスポンジゴム組成物であって、発泡剤として重曹を使用し、滑剤を加え、その配合量がＥＰＤＭ１００重量部に対して、
重曹／滑剤＝５〜５０重量部／１〜１０重量部であり、好ましくは重曹／滑剤＝８〜２０重量部／３〜７重量部であり、
且つ気泡構造を連泡化し、而もその気泡の連泡率を次に定義する連泡率
Ｗａ＝サンプル重量，Ｗｂ＝サンプル体積，Ｗｄ＝吸水後サンプル重量，Ｚ＝発泡前の練り素材重量とするとき
連泡率＝｛（Ｗｄ−Ｗａ）／（Ｗｂ−Ｗａ／Ｚ）｝×１００（％）
が７０％以上、好ましくは８０％以上としたことを特徴とする高発泡ＥＰＤＭスポンジゴム組成物。
【請求項３】
滑剤が脂肪酸アミド系滑剤，脂肪酸シリコーン系滑剤，脂肪酸エステル系滑剤，脂肪酸金属塩系滑剤，樹脂系滑剤等であり、好ましくは脂肪酸アミド系滑剤であることを特徴とする請求項２記載の高発泡スポンジゴム組成物。
【発明の詳細な説明】
【０００１】
【発明の属する技術分野】この発明は、例えば自動車のウエザーストリップの中空シール内に配置される高発泡ＥＰＤＭスポンジゴム組成物に関するものである。
【０００２】
【従来の技術】自動車のウエザーストリップの遮音性向上を目的として中空シール部内に高発泡スポンジ材を配置することは知られている（例えば特許文献１参照）。
【０００３】
【特許文献１】
特開２００１−２０６１６６
【０００４】
【発明が解決しようとする課題】しかし、ウエザーストリップ中空シール部内面壁と高発泡スポンジ材との間に異音（ネチャという音）が発生するという不具合を抱えていた。この発明は、ウエザーストリップ中空シール部内面壁と高発泡スポンジ材との間に異音を発生しない高発泡ＥＰＤＭスポンジゴム組成物を提供しようとするものである。
【０００５】
【課題を解決するための手段】原料ゴムには、加硫系に関する配合剤，ゴムの補強，充てん剤，老化防止剤，軟化剤としてのプロセスオイル，可塑剤，加工助剤，その他の機能性配合剤が添加されるが、発泡ゴムにおいては発泡剤も添加される。
【０００６】
異音はプロセスオイルを多量充てんする高発泡ＥＰＤＭスポンジゴムの表面状態に起因するが、発泡剤として重曹，ＡＤＣＡの併用系を用いて連続気泡構造を形成させることで中空部の圧縮，解放に対して低荷重，且つ迅速に追従されることで異音が低減することを見出した。また滑剤を使用することで高発泡ＥＰＤＭスポンジゴム表面に滑り性を付与すると、中空部との間に発生する異音が更に低減することを見出した。
【０００７】
請求項１の発明に係る高発泡ＥＰＤＭスポンジゴム組成物は、発泡剤として重曹を使用し気泡構造を連泡化し、且つその気泡の連泡度を次に定義する連泡率
Ｗａ＝サンプル重量，Ｗｂ＝サンプル体積，Ｗｄ＝吸水後サンプル重量
Ｚ＝発泡前の練り素材重量とするとき
連泡率＝｛（Ｗｄ−Ｗａ）／（Ｗｂ−Ｗａ／Ｚ）｝×１００（％）
が７０％以上、好ましくは８０％以上としたことを特徴とするものである。
【０００８】
請求項２の発明に係る高発泡ＥＰＤＭスポンジゴム組成物は、発泡剤として重曹を使用し、滑剤を加え、その配合量がＥＰＤＭ１００重量部に対して、
重曹／滑剤＝５〜５０重量部／１〜１０重量部であり、好ましくは重曹／滑剤＝８〜２０重量部／３〜７重量部であり、且つ気泡構造を連泡化し、而もその気泡の連泡度を次に定義する連泡率
Ｗａ＝サンプル重量，Ｗｂ＝サンプル体積，Ｗｄ＝吸水後サンプル重量，Ｚ＝発泡前の練り素材重量とするとき
連泡率＝｛（Ｗｄ−Ｗａ）／（Ｗｂ−Ｗａ／Ｚ）｝×１００（％）
が７０％以上、好ましくは８０％以上としたことを特徴とするものである。
【０００９】
請求項３の発明に係る高発泡ＥＰＤＭスポンジゴム組成物は、請求項２の発明において、滑剤が脂肪酸アミド系滑剤，脂肪酸シリコーン系滑剤，脂肪酸エステル系滑剤，脂肪酸金属塩系滑剤，樹脂系滑剤等であり、好ましくは脂肪酸アミド系滑剤であることを特徴とするものである。
【００１０】
下述する実施の形態及び実施例は、自動車のウェザーストリップを例示しているが、本発明の適用範囲は、自動車のウェザーストリップに限定されるものではない。
【００１１】
【発明の実施の形態】図面を参考にして説明する。２１はボディパネル、２２はルーフ、２３はセンターピラー、２０はドア窓枠、１０はドア窓枠２０に取付けたウェザーストリップである。１１はウェザーストリップ１０の中空シール部、１４は基部、１５はリップ部、１７は中空シール部内に配置した高発泡ＥＰＤＭスポンジゴム組成物で、本発明の適用例を示すものである。４０は車内側、５０は車外側である。
【００１２】
本発明は、共押出により中空シール部内に取付けられ、中空シール部内壁との間に異音を発生しない高発泡ＥＰＤＭスポンジゴム組成物である。
【００１３】
【実施例】実施例と比較例の配合ゴム調製について述べる。「部」とあるのは「重量部」意味する。
ＥＰＤＭ          ；  エチレン−プロピレン−ジエン三元共重全体；（三井化学製の４０６１Ｅ）
ステアリン酸      ；  日本油脂製のステアリン酸
亜鉛華            ；  三井金属製の活性亜鉛華
エルカ酸アミド    ；  脂肪酸アミド系滑剤の一種；ライオンアクゾ製のストラクトールＴＲ１３１
ファーネスブラック；  三菱化学製のダイヤブラックＧＨ
グランドコール    ；  米国キーストン社製のミラクルブラック３２５ＢＡ
パラフィン系オイル；  出光興産のダイナプロセスＰＳ４３０
硫黄              ；  軽井沢精錬所製の粉末イオウ
促進剤Ｍ          ；  川口化学製のアクセルＭ
促進剤ＤＭ        ；  川口化学製のアクセルＤＭ
促進剤ＴＲＡ      ；  川口化学製のアクセルＴＲＡ
促進剤ＴＴＴＥ    ；  川口化学製のアクセルＴＴＴＥ
促進剤ＢＺ        ：  川口化学製のアクセルＢＺ
促進剤ＥＴＵ      ；  バイエル製のレノグランＥＴＵ
重炭酸ナトリウム  ；  発泡剤；  永和化成製のＦＥ５０７
ＡＤＣＡ          ；  発泡剤；  アゾジカルボンアミド；永和化成製のビニホールＡＣ３ＳＷ
ＯＢＳＨ          ；  発泡剤；  Ｐ・Ｐ’−オキシビス（ベンゼンスルホニルヒドラジド）
【００１４】
連泡率とは次の通りである。
連泡率＝｛（Ｗｄ−Ｗａ）／（Ｗｂ−Ｗａ／Ｚ）｝×１００（％）
［Ｗａ＝サンプル重量，Ｗｂ＝サンプル体積，Ｗｃ＝吸水後サンプル重量，Ｚ＝練り比重］
【００１５】
中空部内から切出した長さ５ｃｍの試料を使用。Ｗａｇの試料を針先につけて水中置換により排除体積（サンプル体積）Ｗｂを測定。この試料を５ｃｍの水中に沈め１３５ｍｍ４ｇ減圧下に３分保ち、常圧に戻す。取出した試料の重量Ｗｃを測定する。
【００１６】
本発明の実施品及び比較例１，２の高発泡ＥＰＤＭスポンジゴムの実験結果を表１に示す。
【００１７】
2004204000.tif 000003
【００１８】
実施例においては中空シール部の圧縮，解放に際する中空シール部と高発泡ＥＰＤＭスポンジ部間の異音が発生せず、柔軟性にも優れており中空シール部の圧縮荷重を上昇させることがない。
【００１９】
【発明の効果】請求項１の発明は、高発泡ＥＰＤＭスポンジゴムにおける配合剤中に発泡剤として重曹，ＡＤＣＡの併用系を用いて連続気泡構造を形成させることで、中空部の圧縮，解放に対して低荷重，且つ迅速に追従させることで異音を低減させることが出来る。
【００２０】
請求項２の発明は、請求項１の発明に加え、配合剤中に滑剤を使用することでスポンジゴム表面に滑り性を付与し、より一層異音を低減することが出来る。
【００２１】
請求項１，２の発明は、いずれもプロセスオイル多量充てんする高発泡ＥＰＤＭスポンジの表面状態を改良し、中空シール部内壁との間に発生する異音を低減させたものである。
【図面の簡単な説明】
【図１】自動車の側面図である。
【図２】図１のＡ−Ａ線におけるウェザーストリップの断面図である。
【図３】図２のウェザーストリップのドア閉時における断面図である。
【符号の説明】
１０    ウェザーストリップ
１１    中空シール部
１５    リップ部
１７    高発泡スポンジ材
２０    ドア窓枠
２１    ボディパネル
２２    ルーフ
２３    センターピラー
４０    車内側
５０    車外側
【図１】
2004204000.tif 000004
【図２】
2004204000.tif 000005
【図３】
2004204000.tif 000006